(57)【特許請求の範囲】
【請求項１】
少なくとも、拡大用レンズを保持するホルダー外周に複数個のガイドピンを設けたレンズホルダーと、該レンズホルダーを収納しガイドピンをスライドさせるためのカム溝を有する鏡筒と、鏡筒端部に固定されまたは一体で鏡筒を回転するための視度調整リングと、鏡筒を回転可能に収納するレンズ筒とで構成されるビューファインダーにおいて、ガイドピンは段付きピンであり、レンズホルダーの外周に複数個固定され、複数個の段付きピンの段部側面は鏡筒外周と複数個の段付きピンの段部側面とのクリアランスを規制していることを特徴とするビューファインダー。
【請求項２】
レンズホルダー外周と鏡筒内周のクリアランスは、鏡筒外周と複数個の段付きピンの段部側面とのクリアランスより大きいことを特徴とする請求項１記載のビューファインダー。
【請求項３】
レンズホルダー外周と鏡筒内周は接触しないことを特徴とする請求項１または２記載のビューファインダー。
【発明の詳細な説明】
【０００１】
【発明の属する技術分野】
本発明はビューファインダーに関するものである。
【０００２】
【従来の技術】
ビデオカメラ等の撮像装置は、撮像状態を確認するためにビューファインダーが使用されている。ビューファインダーは表示装置と表示を拡大するレンズ部で構成されているが、レンズ部は視度調整機構が設けられていて、視力に合わせた調整ができるようになっている。
【０００３】
図１は従来技術によるビューファインダーの表示部を除いた断面図であり、図２は図１の円部の拡大図である。アイキャップ１、フィルター２、止めキャップ３、視度調整リング４、鏡筒５、レンズ筒６、アウトサイドホルダー７、レンズ８、レンズホルダー９、レンズ押えリング１０、ガイドピン１１、スクリュー１２等で構成されている。
【０００４】
視度調整機構は、拡大用レンズ８を保持するホルダーの外周に複数個のガイドピン１１をスクリュー１２で取り付けたレンズホルダー９と、該レンズホルダー９を収納しガイドピン１１をスライドさせるためのカム溝を有する鏡筒５と、鏡筒５端部に固定されまたは一体化された鏡筒５を回転するための視度調整リング４と、鏡筒５を回転可能に収納するレンズ筒６とで構成されている。鏡筒５内にレンズホルダー９を装入し、ガイドピン１１をカム溝を通してレンズホルダー９の外周に形成したネジ部にスクリュー１２で固定する。視度調整リング４を回転すると視度調整リング４と一体化されている鏡筒５が回転する。鏡筒５のカム溝に係合しているガイドピン１１はカム溝に沿って移動するので、レンズ８が固定されているレンズホルダー９が鏡筒５の中で上下する。レンズホルダー９の外周９ａと鏡筒５の内周５ａは適度のクリアランスを設けてある。
【０００５】
【発明が解決しようとする課題】
表示装置からの光は図１の矢印方向からレンズ８に入光するが、レンズ８を通過した光は鏡筒５の内面５ａにも当たるので、反射が生じ見にくくなる。反射による影響を除去するのに鏡筒５の内面５ａを粗面にし、更に黒化処理を施している。このため、鏡筒５の内面５ａとレンズホルダー９の外周９ａが接触すると摺動が滑らかでなくなることがあった。
【０００６】
滑らかな摺動を阻害する要因としては、粗面の状態、黒化処理（通常アルマイト処理）、レンズホルダー外周及び鏡筒内周の真円度と寸法バラツキ等がある。鏡筒５の内面５ａとレンズホルダー９の外周９ａの当たりを無くすために、レンズホルダー９の外周９ａと鏡筒５の内周５ａのクリアランスを大きくするとガタが発生する。
【０００７】
【課題を解決するための手段】
少なくとも、拡大用レンズを保持するホルダー外周に複数個のガイドピンを設けたレンズホルダーと、該レンズホルダーを収納しガイドピンをスライドさせるためのカム溝を有する鏡筒と、鏡筒端部に固定されまたは一体で鏡筒を回転するための視度調整リングと、鏡筒を回転可能に収納するレンズ筒とで構成されるビューファインダーにおいて、ガイドピンは段付きピンであり、レンズホルダーの外周に複数個固定され、複数個の段付きピンの段部側面は、鏡筒外周と複数個の段付きピンの段部側面とのクリアランスを規制する構造とする。
【０００８】
レンズホルダー外周と鏡筒内周のクリアランスは、鏡筒外周と複数個の段付きピンの段部側面とのクリアランスより大きくする。
【０００９】
レンズホルダー外周と鏡筒内周は接触しない構造とする。
【００１０】
【発明の実施の形態】
図３は本発明によるビューファインダーの表示部を除いた断面図であり、図４は図３の円部の拡大図である。アイキャップ１、フィルター２、止めキャップ３、視度調整リング４、鏡筒５、レンズ筒６、アウトサイドホルダー７、レンズ８、レンズホルダー９、レンズ押えリング１０、ガイドピン１３、スクリュー１２等で構成されているのは従来技術と同じである。
【００１１】
視度調整機構は、拡大用レンズ８を保持するホルダーの外周に複数個のガイドピン１３をスクリュー１２で取り付けたレンズホルダー９と、該レンズホルダー９を収納しガイドピン１３をスライドさせるためのカム溝を有する鏡筒５と、鏡筒５端部に固定されまたは一体化された鏡筒５を回転するための視度調整リング４と、鏡筒５を回転可能に収納するレンズ筒６とで構成されている。鏡筒５内にレンズホルダー９を装入し、ガイドピン１３をカム溝を通してレンズホルダー９の外周に形成したネジ部にスクリュー１２で固定する。視度調整リング４を回転すると視度調整リング４と一体化されている鏡筒５が回転する。鏡筒５のカム溝に係合しているガイドピン１３はカム溝に沿って移動するので、レンズ８が固定されているレンズホルダー９が鏡筒５の中で上下する。レンズホルダー９の外周９ａと鏡筒５の内周５ａは接触しない程度のクリアランスＡを設けてある。
【００１２】
ガイドピン１３は段付ピンである。レンズホルダー９に固定したとき、段部側面１３ａが鏡筒５の外周５ｂと僅かなクリアランスＢがとれる構造を有している。本実施形態において、ガイドピンは２箇所に取付けられているが、視度調整機構はクリアランスＡ＞クリアランスＢに設定してあるので、偏りにより一方のクリアランスＢが零になってもレンズホルダー９の外周９ａと鏡筒５の内周５ａは接触することはない。すなわち、視度調整機構のガタ量はクリアランスＢで決まるので、クリアランスＡを従来技術に比べて大きくすることが自由にできる。
【００１３】
【発明の効果】
鏡筒５の内面５ａとレンズホルダー９の外周９ａが接触することが無く、ガイドピン１３の段部側面１３ａと鏡筒５の外周５ｂ（表面処理をする必要がなく平滑な面仕上で良い）での当たりとなるため、それぞれの面を滑らかにしておけば摺動を阻害することが無くなった。
【００１４】
ガイドピンの段部側面１３ａと鏡筒５の外周５ｂでの当たりは、ガイドピン１３の段部側面だけの狭い面積であるので摺動抵抗が小さくでき、その分クリアランスＢを小さくでき、がたつきが抑えられるので、レンズホルダーの可動のスムーズさや良好な感触が得られた。
【００１５】
鏡筒５内周とレンズホルダー９外周のクリアランスＡを大きくできるので設計と製造公差に余裕ができ、製造寸法管理、表面処理（エッチング、ブラスト処理等の粗面加工）等の管理が容易になった。
【図面の簡単な説明】
【図１】従来技術によるビューファインダーの表示部を除いた断面図
【図２】図１の円部の拡大図
【図３】本発明によるビューファインダーの表示部を除いた断面図
【図４】図３の円部の拡大図
【符号の説明】
１      アイキャップ
２      フィルター
３      止めキャップ
４      視度調整リング
５      鏡筒
５ａ    鏡筒内周
５ｂ    鏡筒外周
６      レンズ筒
７      アウトサイドホルダー
８      レンズ
９      レンズホルダー
９ａ    レンズホルダー外周
１０    レンズ押えリング
１１    ガイドピン
１２    スクリュー
１３    ガイドピン
１３ａ  ガイドピン段部側面
Ａ      クリアランス
Ｂ      クリアランス
【図１】
0003623895.tif 000002
【図２】
0003623895.tif 000003
【図３】
0003623895.tif 000004
【図４】
0003623895.tif 000005